(57)【特許請求の範囲】
【請求項１】
媒体を搬送する装置において、
導管システムの構成要素でありモータで駆動可能なポンプであって、第１側壁および第２側壁によって連結された第１端壁と第１端壁の反対の第２端壁とを有するポンプハウジングを備えたポンプと、
前記第１端壁および前記第２端壁に整列して配置され、前記ポンプの内部流路の開始位置および終了位置をそれぞれ規定する流体入口および流体出口と、
前記ポンプハウジング内における前記ポンプの押し出し要素と、
前記ポンプのハウジングの外側に配置されたエネルギ供給部によって作動し、該ハウジングに熱を伝達する位置に配置された少なくとも１つの加熱要素であって、前記流体入口および前記流体出口の高さにおいて前記第１側壁の外側表面の平坦部分に配置された第１の正温度係数加熱要素を含む加熱要素と、を備え、
さらに、前記装置は、前記ポンプハウジングの前記第２側壁の外側表面の平坦部分に配置された第２の正温度係数加熱要素と、
前記ポンプハウジングへ熱を伝達するように前記ポンプハウジングの前記外側表面の前記平坦部分に前記第１および第２の正温度係数加熱要素を取り付けるアルミニウム板からなる支持体と、を備え、
前記第１側壁および前記第２側壁の外側表面の前記平坦部分は、前記ポンプハウジングの前記押し出し要素に隣接し、前記第１および第２の正温度係数加熱要素は、前記支持体に接触する平坦な外面を有する、ことを特徴とする装置。
【請求項２】
前記支持体は、平行なＵ字脚部を有するＵ字形であり、前記ポンプハウジングの前記外側の表面の前記平坦部分を囲んで延在し、各々の前記Ｕ字脚部は、前記第１および第２の正温度係数加熱要素のいずれか一方を支持する、請求項１に記載の装置。
【請求項３】
前記Ｕ字脚部は、前記ポンプハウジングの底部を囲む連結片によって連結されており、
前記連結片の外側表面に、前記第１および第２の正温度係数加熱要素へ電力を供給するために電気的な接続部が配置されている、請求項２に記載の装置。
【請求項４】
前記Ｕ字脚部に接触して前記第１および第２の正温度係数加熱要素をそれぞれ保持する筐体が、前記Ｕ字脚部の外側表面に取り付けられており、前記筐体は、良好に熱を伝達する金属材料から形成されている、請求項３に記載の装置。
【請求項５】
前記第１および第２の正温度係数加熱要素は、前記Ｕ字脚部に接触している、請求項４に記載の装置。
【請求項６】
前記ポンプは、ポンプ軸を有し、
前記ポンプハウジングと前記加熱要素は、前記ポンプ軸と前記流体入口と前記流体出口を開放されつつ、断熱性の覆いによって囲まれている、請求項１に記載の装置。
【請求項７】
媒体を搬送する装置において、
導管システムの構成要素でありモータで駆動可能なポンプであって、第１側壁および第２側壁によって連結された第１端壁と第１端壁の反対の第２端壁とを有するポンプハウジングを備え、前記第１および第２側壁は外側表面部を有するポンプと、
前記第１端壁および前記第２端壁に整列して配置され、前記ポンプの内部流路の開始位置および終了位置をそれぞれ規定する流体入口および流体出口と、
前記流体入口と流体出口の間の前記ポンプハウジング内における前記ポンプの押し出し要素であって、前記外側表面部が隣接している押し出し要素と、
前記外側表面部に配置された、アルミニウム板からなる支持体と、
前記支持体に搭載される平坦面を有し、前記ポンプハウジングに熱を伝達するために前記ポンプハウジングの外側から供給される電気エネルギによって作動する第１および第２の正温度係数加熱要素と、を備えることを特徴とする装置。
【請求項８】
前記支持体は、平行なＵ字脚部を有するＵ字形であり、前記外側表面部を囲んで延在し、各々の前記Ｕ字脚部は、前記第１および第２の正温度係数加熱要素のいずれか一方を支持する、請求項７に記載の装置。
【請求項９】
前記Ｕ字脚部は、前記ポンプハウジングの底部を囲む連結片によって連結されており、
前記連結片の外側表面に、前記第１および第２の正温度係数加熱要素へ電力を供給するために電気的な接続部が配置されている、請求項８に記載の装置。
【請求項１０】
前記Ｕ字脚部に接触して前記第１および第２の正温度係数加熱要素をそれぞれ保持する筐体が、前記Ｕ字脚部の外側表面に取り付けられており、前記筐体は、良好に熱を伝達する金属材料から形成されている、請求項９に記載の装置。
【請求項１１】
前記第１および第２の正温度係数加熱要素は、前記Ｕ字脚部に接触している、請求項９に記載の装置。
【請求項１２】
前記ポンプは、ポンプ軸を有し、
前記ポンプハウジングと前記加熱要素は、前記ポンプ軸と前記流体入口と前記流体出口を開放されつつ、断熱性の覆いによって囲まれている、請求項７に記載の装置。
【発明の詳細な説明】
【技術分野】
【０００１】
本発明は、導管システムの構成要素でありモータで駆動可能なポンプを備える、特に潤滑剤からなる流動可能な媒体を搬送する装置に関する。
【背景技術】
【０００２】
この種類の公知の装置では、不都合なある運転条件の時に、運転障害、例えば、搬送効率の低下、ポンプの過負荷、または完全な不作動の恐れがある。このような障害は、特に、潤滑剤循環路における潤滑油の搬送において油温度が低すぎる時に発生する場合がある。そのような運転状態は、例えば、ある設備のコールド運転期に発生し、または、風力発電所で冬期のような条件で発生し、これらの状態は、長期にわたって持続する場合がある。搬送すべき潤滑油の粘性が、相応に大幅に高くなることによって、少なくとも、搬送効率が低下し、それによって、付属する機械設備が危険に曝されることになり、または、悪い場合には、ポンプが過負荷となり、または完全に動かなくなり、さらに、それによって、付属する設備の、付随する損害が引き起こされる。
【発明の開示】
【発明が解決しようとする課題】
【０００３】
このような従来技術に鑑みて、本発明は、導管システムおよびその中の、搬送すべき媒体で非常に低い温度が支配的である場合でも運転の安全性が保証される、特に潤滑剤からなる流動可能な媒体を搬送する装置を提供することを課題とする。
【課題を解決するための手段】
【０００４】
本発明によれば、この課題は、ポンプのハウジングに外部から熱が伝達される装置によって解決される。
【０００５】
必要な場合に直ぐに、導管システムの、重要な、すなわち障害の生じやすい領域で、すなわちポンプの所で直接、温度を上げることができる。ポンプハウジングの加熱によって、搬送される媒体自体の温度も相応に上昇し、それによって、付属する配管系の全体の温度が相応に上昇させられ、潤滑剤循環路における場合によっては低すぎる油温度も高められる。
【０００６】
特に有利な実施態様では、正の温度係数を有する自己制御電気抵抗の形態、例えば、いわゆる正温度係数加熱要素（ＰＴＣ加熱要素）の形態の、少なくとも１つの加熱要素が備えられている。商業的に入手可能なＰＴＣ加熱要素は、チタン酸バリウムを基本材料とするドープ多結晶セラミックから構成されている。このようなＰＴＣ要素によって迅速な加熱が保証され、このようなＰＴＣ要素は、良好な自己制御挙動を示し、それにより、自己制御性に基づいて加熱し過ぎる恐れがないため、寿命が長い。このようなＰＴＣ要素を用いることは、そのような要素によって、制御・調節電子機器も温度センサも必要とすることなく、自動的に一定の所望の温度を保つことができることからも、特に好ましい。
【０００７】
ポンプのハウジングは、ＰＴＣ加熱要素がそれぞれ組み込まれた２つ以上の外壁部分を有するのが有利である。
【０００８】
この場合、ＰＴＣ加熱要素が、ハウジングの、ポンプの内部の押し出し要素に空間的に隣接する外壁部分に組み込まれた構成とするのが有利である。このような配置によって、温度が低すぎないようにするのに重要な所望の領域で、特に、効果的かつ迅速な加熱が行われる。
【０００９】
ポンプハウジングの所に、ポンプの内部の、押し出し要素が配置された流路の最初と最後を形成する流体入口および流体出口がポンプハウジングの前面壁と背面壁に互いに一直線上に位置するように配置されている実施態様では、前面壁と背面壁を互いに連結する側壁上で、流体入口および流体出口の高さにある外壁部分にＰＴＣ加熱要素がそれぞれ配置されているのが有利である。それによって、ポンプの内部の流路の領域の特に適切な加熱が得られる。
【００１０】
有利な実施態様では、ＰＴＣ加熱要素の支持体として、対応する外壁部分に熱を伝達するように接触しているアルミニウム板が備えられており、このアルミニウム板の外面に接触して、扁平な構成に形成されたＰＴＣ加熱要素が配置されている。ＰＴＣ加熱要素をこのように支持することによって、ポンプハウジングへの特に良好な熱伝達が保証される。
【００１１】
この場合、支持体をＵ字形に形成し、互いに平行に延びるＵ字脚部で、ポンプのハウジングの、互いに反対側の２つの外壁部分をそれぞれ囲み、各Ｕ字脚部の外面にＰＴＣ加熱要素を配置することができる。
【００１２】
ＰＴＣ加熱要素は、Ｕ字脚部の外面に取り付けられ、良好に熱を伝達する金属材料から形成された筐体によって、Ｕ字脚部に接触するように保持することができる。
【００１３】
周囲への熱の喪失を最小限に抑えるように、ポンプのハウジングが、ポンプ軸と流体入口および流体出口を開放されつつ、断熱性の覆いによって囲まれている場合に、装置の特に良好な効率が得られる。例えばハウジングの周りに成形されているこのような覆いによって、外部への熱の流出が防止されるだけでなく、ＰＴＣ加熱要素が直接干渉されるのを防ぐ保護覆いが構成される。
【発明を実施するための最良の形態】
【００１４】
以下、図面に記載する実施形態に基づいて本発明を詳細に説明する。
【００１５】
図１および２は、全体として符号１で示されたポンプを示しており、ポンプ１のポンプハウジング３は、接続フランジ７が備えられた流体入口９を手前側の前面壁５に有している。反対側の、図では見えていない背面壁には、相応の流体出口が設けられており、この流体出口は流体入口９と一直線上に並んで位置している。流体入口９と流体出口の間のポンプ１の内部の流路には、押し出し要素を構成する歯車対が設けられており、すなわち、ポンプ１は、ハウジング上面に駆動軸１１が設けられている外接歯車ポンプである。図１で最も良く分かるように、ポンプハウジング３は、流体入口９の領域、駆動軸１１を備えるハウジング上面、および、流体出口の、不図示の領域を開放されつつ、断熱性の覆い１３によって囲まれている。これは、成形された、または発泡させられた外套とすることができる。
【００１６】
図２は、ポンプハウジング３の前面壁５と背面壁の間を延びる側壁１５を囲む覆い１３の部分を、鉛直に切断した図で示しており、側壁１５と覆い１３の間に、Ｕ字形状の支持体１７が設けられているのが分かる。
【００１７】
支持体１７の詳細が図３〜５から分かる。アルミニウム板から形成された支持体１７は、ポンプハウジング３の側壁１５に接触するように設けられた２つのＵ字脚部１９を有し、２つのＵ字脚部１９は、互いに平行な平面を形成している。各Ｕ字脚部１９の外側には、図３〜５に模式的にのみ示されているＰＴＣ（正温度係数）要素ユニット２１が取り付けられている。図６および７は、ＰＴＣ要素ユニット２１の詳細を示している。各ＰＴＣ要素ユニット２１は、扁平な直方体の形状の本来のＰＴＣ要素２９を備えている。ＰＴＣ要素２９は、筐体３１に設けられており、筐体３１は、熱を良く伝える金属から、溝が形成された円形のディスクのように形成されている。筐体３１は、中央に溝３３を有し、溝３３は、相応のＵ字脚部１９に接触する筐体３１の下面３５に設けられ、収容溝３７を構成しており、収容溝３７内に、ＰＴＣ要素２９が接着フィルム片３９、この実施形態では、カプトン（登録商標）片によって取り付けられている。収容溝３７の両側には、高さがより低い溝４１が設けられており、溝４１に、筐体３１を相応のＵ字脚部１９にねじで取り付けるための取り付け穴４３または取り付け長穴４５が備えられている。
【００１８】
ＰＣＴ要素２９への電力供給のために接続導線２７が設けられており、ＰＣＴ要素２９で通常そうであるように、ＰＣＴ要素２９に備えられた平坦な金属電極が接続導線２７に接続されている。ＰＴＣ要素２９に隣接する端部領域で、接続導線２７は、シリコン製の絶縁管４７によって覆われている。さらに、接続導線２７の、絶縁管４７が備えられた端部との遷移領域でＰＣＴ要素２９に隣接する領域にゴムを溶着させることができる。
【００１９】
支持体１７の相応のＵ字脚部１９に取り付けられた筐体３１は、ＰＴＣ要素２９から発生した熱を、相応のＵ字脚部１９のアルミニウム板に伝達する伝熱板を構成しており、Ｕ字脚部１９は、伝熱体としてポンプハウジング３の、相応の側壁１５に隣接している。このような熱的な接続によって、加熱用のＰＴＣ要素２９の自己制御性を利用して、運転状態が変化する中で、ポンプハウジング３を所望の温度に保つことが、そのために制御・調節電子機器を必要とすることなく、可能となる。
【００２０】
以上、本発明を、外接歯車ポンプの例で説明した。本発明を他の構成のポンプ、例えば、内接歯車ポンプ、ねじポンプ、ベーンセルポンプ、ラジアルピストンポンプ、または、他の作動原理のポンプにも適用できることが理解される。いずれにしても、相応の加熱用のＰＴＣ要素が各ポンプハウジングの、内部の相応の押し出し要素と良好に熱的に接続される位置に取り付けられるのが有利である。加熱用の、それぞれ１つのＰＴＣ要素２９を備える２つのＰＴＣ要素ユニット２１を用いた例で本発明を説明したが、他の数のＰＴＣ要素２９を備えることもでき、扁平な構成とは違う他の構成、例えば、容器形状が丸い、または矩形のＰＴＣ要素を用いることもできることが理解される。
【図面の簡単な説明】
【００２１】
【図１】本発明の実施形態のためのポンプの斜視図である。
【図２】ポンプハウジングの前面壁を示す正面図であり、構成要素を囲むポンプハウジングの側壁を断面して示している。
【図３】ポンプハウジングの側壁を囲む支持体の部分の斜視図であり、その外側に、加熱用のＰＴＣ要素および電気的な接続装置が設けられている。
【図４】図３の支持体の側面図である。
【図５】図３の支持体の正面図である。
【図６】筐体に支持される扁平な構成の加熱用のＰＴＣ要素の、金属製の筐体の、ほぼ原寸で示す底面図である
【図７】図６の線ＶＩＩ−ＶＩＩに対応する断面図である。
【図１】
0005199233.tif 000002
【図２】
0005199233.tif 000003
【図３】
0005199233.tif 000004
【図４】
0005199233.tif 000005
【図５】
0005199233.tif 000006
【図６】
0005199233.tif 000007
【図７】
0005199233.tif 000008